(57)【要約】【課題】送信したメールの開封確認の要求に伴うトラフィックの上昇に起因するネットワークの負荷増大、通信料発生を抑制する。【解決手段】電子メールを送受信する携帯電話機１００に、送信すべき電子メールのうち選択した電子メールに対して受信側の携帯電話機１００Ｂに開封確認要求の操作を行う開封確認操作部１０６Ａと、送信された電子メールに対して送信済み、送信失敗、既読済みを含むステータスの一覧を表示する表示部１０２と、開封確認操作部による開封確認要求の操作に基づいて送信された電子メールの既読通知を電子メールの受信側の携帯電話機から受信した場合に表示部に送信された電子メールに対して既読済みのステータスの表示を行わせる電子メール開封確認部１０６Ａとを備える。【選択図】  図１
2004312324.tif 000002
【特許請求の範囲】
【請求項１】
電子メールを送受信する携帯電話機において、
送信すべき電子メールのうち選択した電子メールに対して受信側の携帯電話機に開封確認要求の操作を行う開封確認操作部と、
送信された電子メールに対して送信済み、送信失敗、既読済みを含むステータスの一覧を表示する表示部と、
前記開封確認操作部による開封確認要求の操作に基づいて送信された電子メールの既読通知を電子メールの受信側の前記携帯電話機から受信した場合に前記表示部に送信された電子メールに対して前記既読済みのステータスの表示を行わせる電子メール開封確認部とを備えることを特徴とする携帯電話機。
【請求項２】
前記表示部には前記ステータスの一覧の表示画面とは異なる電子メール作成画面と同時に前記開封確認操作部の操作案内を行う開封確認操作ボタンを表示することを特徴とする、請求項１に記載の携帯電話機。
【請求項３】
電子メールを送受信する携帯電話機において、
送信すべき電子メールのうち選択した電子メールに対して受信側の携帯電話機に到達確認要求の操作を行う到達確認操作部と、
送信された電子メールに対して送信済み、送信失敗、到達済みを含むステータスの一覧を表示する表示部と、
前記到達確認操作部による到達確認要求の操作に基づいて送信された電子メールの到達通知を電子メールの受信側の前記携帯電話機から受信した場合に前記表示部に送信された電子メールに対して前記到達済みのステータスの表示を行わせる電子メール開封確認部とを備えることを特徴とする携帯電話機。
【請求項４】
前記表示部には前記ステータスの一覧の表示画面とは異なる電子メール作成画面と同時に前記到達確認操作部の操作案内を行う到達確認操作ボタンを表示することを特徴とする、請求項３に記載の携帯電話機。
【請求項５】
電子メールを送受信する携帯電話機において、
送信すべき電子メールのうち選択した電子メールに対して受信側の携帯電話機に開封確認要求の操作を行う開封確認操作部と、
送信すべき電子メールのうち選択した電子メールに対して受信側の携帯電話機に到達確認要求を行う到達確認操作部と、
送信された電子メールに対して送信済み、送信失敗、既読済み、到達済みを含むステータスの一覧を表示する表示部と、
前記開封確認操作部による開封確認要求の操作、前記到達確認操作部による到達確認要求の操作に基づいて送信された電子メールの既読通知、到達通知を電子メールの受信側の前記携帯電話機から受信した場合に前記表示部に送信された電子メールに対して前記既読済み、前記到達済みのステータスの表示を行わせる電子メール開封／到達確認部とを備えることを特徴とする携帯電話機。
【請求項６】
前記表示部には前記ステータスの一覧の表示画面とは異なる電子メール作成画面と同時に前記開封確認操作部、前記到達確認操作部の操作案内を行う開封確認操作ボタン、到達確認操作ボタンをそれぞれ表示することを特徴とする、請求項５に記載の携帯電話機。
【請求項７】
電子メールを送受信する携帯電話機の電子メールの到達／開封確認方法において、
送信すべき電子メールのうち選択した電子メールに対して受信側の携帯電話機に開封確認要求の操作を行う工程と、
送信すべき電子メールのうち選択した電子メールに対して受信側の携帯電話機に到達確認要求の操作を行う工程と、
送信した電子メールに対して送信済み、送信失敗を含むステータスの一覧を表示する工程と、
開封確認要求、到達確認要求の操作を行って送信された電子メールの既読通知、到達通知を電子メールの受信側の前記携帯電話機から受信した場合に前記表示部に送信された電子メールに対して既読済み、到達済みのステータスの表示を行わせる工程とを備えることを特徴とする携帯電話機の電子メールの到達／開封確認方法。
【発明の詳細な説明】
【０００１】
【発明が属する技術分野】
本発明は電子メールを送受信する携帯電話機に関する。特に、本発明は、トラフィックの上昇に伴うネットワークへの負荷増大、通信料発生を抑制することを可能にする電子メールの到達／開封確認方法に関する。
【０００２】
【従来の技術】
近年、携帯電話機のメール機能は、非常に身近なコミュニケーションであり、携帯電話ユーザーに頻繁に使用されている。
しかし、無線通信を行う携帯電話機は電波状況等の障害により、送信したメールを確実に受信できるという保証が無く、そのため重要なメール送信後は確実に届いているか、又は既読されているかの確認の必要がある。
【０００３】
従来のメールを受信した携帯電話機では、受信したメールを開封して読んだ場合メールを既に読んだ旨の通知であるメール既読通知を、メールを送信した携帯電話機へ送り、メールを送信した携帯電話機は、メール既読通知を受信して、送信したメールが読まれたことを確認し、また、メールを送信した携帯電話機は、メールを既に読んだかどうかの問い合わせを、メールを受信した携帯電話機へ送り、問い合わせを受信した携帯電機は、受信したメールを開封して読んだ場合、メール既読通知を送るようにしている（例えば、特許文献１参照。）。
【０００４】
また、従来のメールを受信した携帯電話機では、そのメールを開封すると、メール開封情報がホームロケーションレジスタに登録され、この情報が発信元の携帯電話機に送信され、報知されるようにしている（例えば、特許文献２参照。）。
また、従来のメールシステムのメールサーバでは、通常の電子メールを格納するためのメール記憶部と、開封通知のみを格納するための開封通知記憶部とを備えており、さらに、メールサーバは、移動局宛ての通常の電子メールを受信すると、この電子メールをメール記憶部にいったん格納し、移動局に送信する一方、移動局宛ての開封通知を受信すると、この開封通知を開封通知記憶部に格納し、ユーザによる操作に応じて移動局から送信されてくる取得要求に応答して、対応する上記開封通知を送信するようにしている（例えば、特許文献３参照。）。
【０００５】
【特許文献１】
特開２００２−１４９５６１（段落００２７〜００３６、図２）
【特許文献２】
特開２００１−３５８７４６（段落０００９、図１）
【特許文献３】
特開２００２−１６９７５５（段落００４０〜００５０、図６、図７）
【０００６】
【発明が解決しようとする課題】
しかしながら、上記従来技術では、送信した全てのメールの既読確認、開封確認の通知を要求するので、トラフィックの上昇に起因するネットワークの負荷増大、通信料発生を招来するという問題がある。
さらに、自動車の運転中のように、メールの開封までに時間を要しメールの開封通知が遅れる場合、電話でメールの開封を確認したりすると、結局、メール効果が薄れてしまうという問題がある。
【０００７】
したがって、本発明は上記問題点に鑑みて、トラフィックの上昇に起因するネットワークの負荷増大、通信料発生を抑制し、さらに、メールの開封通知の遅れに対してメールの効果を維持できる携帯電話機及びその電子メールの到達／開封確認方法を提供することを目的とする。
【０００８】
【課題を解決するための手段】
本発明は前記問題点を解決するために、電子メールを送受信する携帯電話機において、送信すべき電子メールのうち選択した電子メールに対して受信側の携帯電話機に開封確認要求の操作を行う開封確認操作部と、送信された電子メールに対して送信済み、送信失敗、既読済みを含むステータスの一覧を表示する表示部と、前記開封確認操作部による開封確認要求の操作に基づいて送信された電子メールの既読通知を電子メールの受信側の前記携帯電話機から受信した場合に前記表示部に送信された電子メールに対して前記既読済みのステータスの表示を行わせる電子メール開封確認部とを備えることを特徴とする携帯電話機を提供する。
【０００９】
この手段により、電子メール送信後、その送信電子メールが正常に送信先のユーザーが既読したことを確認することが可能になり、さらに、重要な送信電子メールに限定して送信先のユーザーの既読確認を可能にしたので、トラフィックの上昇に起因するネットワークの負荷増大、通信料発生を抑制することが可能になる。
【００１０】
さらに、前記表示部には前記ステータスの一覧の表示画面とは異なる電子メール作成画面と同時に前記開封確認操作部の操作案内を行う開封確認操作ボタンを表示する。
この手段により、電子メールに対して選択的に開封確認要求を容易に行うことが可能になる。
【００１１】
さらに、本発明は、電子メールを送受信する携帯電話機において、送信すべき電子メールのうち選択した電子メールに対して受信側の携帯電話機に到達確認要求の操作を行う到達確認操作部と、送信された電子メールに対して送信済み、送信失敗、到達済みを含むステータスの一覧を表示する表示部と、前記到達確認操作部による到達確認要求の操作に基づいて送信された電子メールの到達通知を電子メールの受信側の前記携帯電話機から受信した場合に前記表示部に送信された電子メールに対して前記到達済みのステータスの表示を行わせる電子メール開封確認部とを備えることを特徴とする携帯電話機を提供する。
【００１２】
この手段により、前述の効果に加え、電子メールの送信後に電子メール到達通知までの時間は殆どの場合短く、一定の時間の間に終了するので、電子メール送信後、送信電子メール一覧画面のステータスを見るだけでその送信電子メールが正常に送信先に到達したことを確認することが可能になる。
すなわち、電子メール既読通知の場合には自動車運転中のように電子メール開封までは時間を要する場合があるのに対して、電子メール到達通知の場合には到達していることだけ判断できればよい場合に有利である。
【００１３】
さらに、前記表示部には前記ステータスの一覧の表示画面とは異なる電子メール作成画面と同時に前記到達確認操作部の操作案内を行う到達確認操作ボタンを表示する。
この手段により、電子メールに対して選択的に到達確認要求を容易に行うことが可能になる。
【００１４】
さらに、本発明は、電子メールを送受信する携帯電話機において、送信すべき電子メールのうち選択した電子メールに対して受信側の携帯電話機に開封確認要求の操作を行う開封確認操作部と、送信すべき電子メールのうち選択した電子メールに対して受信側の携帯電話機に到達確認要求を行う到達確認操作部と、送信された電子メールに対して送信済み、送信失敗、既読済み、到達済みを含むステータスの一覧を表示する表示部と、前記開封確認操作部による開封確認要求の操作、前記到達確認操作部による到達確認要求の操作に基づいて送信された電子メールの既読通知、到達通知を電子メールの受信側の前記携帯電話機から受信した場合に前記表示部に送信された電子メールに対して前記既読済み、前記到達済みのステータスの表示を行わせる電子メール開封／到達確認部とを備えることを特徴とする携帯電話機を提供する。
【００１５】
この手段により、前述した効果に加え、開封確認、到達確認の要求処理が選択でき、送信した電子メールの開封までに時間がかかってもよい場合に開封確認の要求処理を行い、送信した電子メールの開封までの時間を待てない場合には到達確認の要求処理を行い、選択することが可能になる。
さらに、前記表示部には前記ステータスの一覧の表示画面とは異なる電子メール作成画面と同時に前記開封確認操作部、前記到達確認操作部の操作案内を行う開封確認操作ボタン、到達確認操作ボタンをそれぞれ表示する。
【００１６】
この手段により、電子メールに対して選択的に開封確認要求、到達確認要求を容易に行うことが可能になる。
さらに、本発明は、電子メールを送受信する携帯電話機の電子メールの到達／開封確認方法において、送信すべき電子メールのうち選択した電子メールに対して受信側の携帯電話機に開封確認要求の操作を行う工程と、送信すべき電子メールのうち選択した電子メールに対して受信側の携帯電話機に到達確認要求の操作を行う工程と、送信した電子メールに対して送信済み、送信失敗を含むステータスの一覧を表示する工程と、開封確認要求、到達確認要求の操作を行って送信された電子メールの既読通知、到達通知を電子メールの受信側の前記携帯電話機から受信した場合に前記表示部に送信された電子メールに対して既読済み、到達済みのステータスの表示を行わせる工程とを備えることを特徴とする携帯電話機の電子メールの到達／開封確認方法を提供する。
【００１７】
この手段により、重要な送信電子メールに限定して送信先のユーザーの既読確認を可能にしたので、トラフィックの上昇に起因するネットワークの負荷増大、通信料発生を抑制することが可能になり、開封確認、到達確認の要求処理が選択でき、送信した電子メールの開封までに時間がかかってもよい場合に開封確認の要求処理を行い、送信した電子メールの開封までの時間を待てない場合には到達確認の要求処理を行うことが可能になる。
【００１８】
【発明の実施の形態】
以下、本発明の実施の形態について図面を参照して説明する。
図１は本発明に係る携帯電話機の概略構成を示すブロック図である。なお、全図を通して同一の構成要素には同一の番号、符号を付して説明を行う。
【００１９】
本図に示すように、電子メールを送受信する携帯電話機１００にはメモリ１０１が設けられ、メモリ１０１は周知のとおり携帯電話機１００に内蔵された記憶領域であり、最低限、「送信メール一覧」のリストを保有する機能を有する。
さらに、携帯電話機１００には表示部１０２が設けられ、表示部１０２は周知のとおり携帯電話機１００の表面、又は、背面に設置され、メモリ１０１に保有する「送信電子メール一覧」、「電子メール作成画面」を含む表示を行う機能を有する。
【００２０】
さらに、携帯電話機１００には操作部１０３が設けられ、操作部１０３は周知のとおり電子メール文章の作成などキー操作を行う機能を有し、開封確認機能ボタン１０３Ａ、送信ボタン１０３Ｂ、キャンセルボタン１０３Ｃを有する。
開封確認機能ボタン１０３Ａは送信する電子メールのうち重要な電子メールを選択して送信する際に送信先のユーザーに対して電子メールの開封確認を要求する機能を有するボタンである。
【００２１】
送信ボタン１０３Ｂは電子メールの開封確認の要求に拘らず電子メールを送信する機能を有するボタンである。
キャンセルボタン１０３Ｃは、開封確認機能ボタン１０３Ａの押下による電子メールの開封確認の要求をキャンセルする機能を有するボタンである。開封確認機能ボタン１０３Ａの誤った押下をキャンセルするためである。
【００２２】
さらに、携帯電話機１００には無線部１０４、送受信アンテナ１０５が設けられ、無線部１０４は送受信アンテナ１０５を使用し電子メールの送受信を行う機能を有する。
さらに、携帯電話機１００には制御部１０６が設けられ、制御部１０６はメモリ１０１、表示部１０２、操作部１０３、無線部１０４を制御する。
【００２３】
さらに、制御部１０６には電子メール開封確認部１０６Ａが設けられ、電子メール開封確認部１０６Ａは、受信側の携帯電話機１００のユーザーが開封要求のあった電子メールを受信し開封し既読し既読通知を行った際に、この既読通知を受信し表示部１０２に既読済みを表示させて送信した電子メールの開封をユーザーに確認させる制御を行うオプション機能を有する。
図２は図１における表示部１０２に表示される電子メール作成画面の例を示す図である。本図に示すように、表示部１０２には表題欄に重要メールである表題が入力され、さらに、本文欄には「あいうえお…」のように本文が入力される。
【００２４】
さらに、表示部１０２には開封確認機能ボタン、送信ボタン、キャンセルボタンが表示され、表示された開封確認機能ボタン、送信ボタン、キャンセルボタンは、開封確認機能ボタン１０３Ａ、送信ボタン１０３Ｂ、キャンセルボタン１０３Ｃの押下操作の案内をそれぞれ行う。
このようにして電子メールに対して選択的に開封確認要求を容易に行うことを可能にする。
【００２５】
図３は図１における表示部１０２に表示される送信電子メール一覧の画面例を示す図である。本図に示すように、送信された電子メール一覧の画面では、送信電子メールのステータス、送信電子メールの送信の日付、送信電子メールの表題として、例えば、既読済み、１２／０４、ＧＨＩ、送信失敗、１２／０５、ＤＥＦ、送信済み、１２／０６、ＡＢＣのように一覧表示が行われる。
【００２６】
このようにして、送信電子メール一覧画面で送信電子メールのステータスの変化が確認可能になる。特に、既読済みを表示させて送信した電子メールの開封をユーザーに確認させることが可能になる。
なお、表示部１０２のステータスについてはアイコンにて識別することも可能である。
図４は図１における電子メール開封確認部１０６Ａの制御動作例を示すフローチャートである。
【００２７】
ユーザーはメニュー設定、又は、図２に示す電子メール作成画面から開封確認機能の設定を可能にすることが可能である。
ステップＳ２０１において、開封確認機能ボタン１０３Ａが押下されたか否かを判断する。開封確認機能ボタン１０３Ａが押下されていないと判断した場合にはステップＳ２０３に進む。この場合、送信される電子メールが重要でないと判断され、開封確認機能ボタン１０３Ａが押下されず、電子メールの開封確認の要求が行われない。
【００２８】
開封確認機能ボタン１０３Ａが押下されていると判断した場合にはステップＳ２０２に進む。この場合、送信される電子メールが重要であると判断され、電子メールの開封確認の要求が行われ、電子メールに開封確認要求の識別子が付される。
ステップＳ２０２において、キャンセルボタン１０３Ｃが押下されたか否かを判断する。キャンセルボタン１０３Ｃが押下されないと判断した場合にはステップＳ２０３に進む。
【００２９】
キャンセルボタン１０３Ｃが押下されたと判断した場合には電子メールの開封確認の要求が誤りと判断され、ステップＳ２０１に戻る。
ステップＳ２０３において、送信ボタン１０３Ｂの押下を待ち、押下された場合には電子メールを送信し、電子メールの開封確認の要求処理を終了する。
図５は電子メール既読通知のシーケンスを示す図である。本図に示すように、電子メールの送信側の携帯電話機１００Ａでは、電子メールが作成され、電子メールの開封確認の要求処理が行われ、開封確認の識別子が付された電子メールの送信を行う。
【００３０】
携帯電話機１００Ａでは電子メール送信の実行で成功した場合には図３のステータスは、「送信済み」に設定される。
携帯電話機１００Ａでは電子メール送信の実行で成功しなかった場合には図３のステータスは、「送信失敗」に設定される。
電子メールの受信側の携帯電話機１００Ｂでは、携帯電話機１００Ａから電子メールを受信し、受信した電子メールのうち開封確認の識別子が付された電子メールのみに対して開封した場合には、携帯電話機１００Ａに向けて電子メール既読通知が行われる。
【００３１】
携帯電話機１００Ａでは、電子メールを送信するとき、データ通信状態に遷移し、その後一定時間データ送受信が可能であるので、その間に携帯電話機１００Ｂから電子メール既読通知の受信が行われると、図３のステータスが、「既読済み」に設定される。
なお、携帯電話機１００Ｂでは、自動車の運転中のような場合には、上記の時間の経過後に受信した電子メールが開封され、開封後に携帯電話機１００Ａでは携帯電話機１００Ｂから電子メール既読通知の受信が行われ、図３のステータスが、「既読済み」に設定される。
【００３２】
電子メール既読通知が何らかの理由で損失した場合には送信元の携帯電話機１００Ａに正常に通知できなかった場合には、正常なステータス表示が不可能になる。この場合には問合せ機能を実施することで正常なステータス表示にすることが可能になる。
また、開封確認機能ボタン１０３ＡがＯＦＦである電子メールに対しては携帯電話機１００Ｂから携帯電話機１００Ａに電子メール既読通知が行われない。
【００３３】
したがって、本発明によれば、電子メール送信後、その送信電子メールが正常に送信先のユーザーが既読したことを確認することが可能になる。
さらに、重要な送信電子メールに限定して送信先のユーザーの既読確認を可能にしたので、トラフィックの上昇に起因するネットワークの負荷増大、通信料発生を抑制することが可能になる。
【００３４】
図６は本発明の第１実施例に係る携帯電話機の概略構成を示すブロック図である。本図に示すように、図１と比較して、電子メールを送受信する携帯電話機１００の操作部１０３には開封確認機能ボタン１０３Ａに代わり到達確認機能ボタン１０３Ｄが設けられる。
到達確認機能ボタン１０３Ｄは送信する電子メールのうち重要な電子メールを選択し送信した際に送信先のユーザーによる電子メールの到達確認を要求する機能を有するボタンである。
【００３５】
さらに、制御部１０６には電子メール開封確認部１０６Ａに代わり、電子メール到達確認部１０６Ｂが設けられ、電子メール到達確認部１０６Ｂは、受信側の携帯電話機１００が到達要求のあった電子メールを受信し到達通知を行った際に、この到達通知を受信し表示部１０２に到達済みを表示させて送信した電子メールの到達をユーザーに確認させる制御を行うオプション機能を有する。
図７は図６における表示部１０２に表示される電子メール作成画面の例を示す図である。本図に示すように、図２と比較して、表示部１０２には開封確認機能ボタンに代わり、到達確認機能ボタンが表示され、到達確認機能ボタンの押下操作は、到達確認機能ボタン１０３Ｄの押下操作により行われる。
【００３６】
このようにして、電子メールに対して選択的に到達確認要求を容易に行うことを可能にする。
図８は図６における表示部１０２に表示される送信電子メール一覧の画面例を示す図である。本図に示すように、送信された電子メール一覧の画面では、送信電子メールのステータス、送信電子メールの送信の日付、送信電子メールの表題として、例えば、到達済み、１２／０３、ＪＫＬ、送信失敗、１２／０５、ＤＥＦ、送信済み、１２／０６、ＡＢＣのように一覧表示が行われる。
【００３７】
このようにして、送信電子メール一覧画面で送信電子メールのステータスの変化が確認可能になる。特に、到達済みを表示させて送信した電子メールの到達をユーザーに確認させることが可能になる。
図９は図６における電子メール到達確認部１０６Ｂの制御動作例を示すフローチャートである。
ユーザーはメニュー設定、又は、図７に示す電子メール作成画面から到達確認機能の設定を可能にすることが可能である。
【００３８】
ステップＳ２１１において、到達確認機能ボタン１０３Ｄが押下されたか否かを判断する。到達確認機能ボタン１０３Ｄが押下されていないと判断した場合にはステップＳ２１３に進む。この場合、送信される電子メールが重要でないと判断され、到達確認機能ボタン１０３Ｄが押下されず、電子メールの到達確認の要求が行われない。
【００３９】
到達確認機能ボタン１０３Ｄが押下されていると判断した場合にはステップＳ２１２に進む。この場合、送信される電子メールが重要であると判断され、電子メールの到達確認の要求が行われ、電子メールに到達確認要求の識別子が付される。
ステップＳ２１２において、キャンセルボタン１０３Ｃが押下されたか否かを判断する。キャンセルボタン１０３Ｃが押下されないと判断した場合にはステップＳ２１３に進む。
【００４０】
キャンセルボタン１０３Ｃが押下されたと判断した場合には電子メールの到達確認の要求が誤りと判断され、ステップＳ２１１に戻る。
ステップＳ２１３において、送信ボタン１０３Ｂの押下を待ち、押下された場合には電子メールを送信し、電子メールの到達確認の要求処理を終了する。
図１０は電子メール到達通知のシーケンスを示す図である。本図に示すように、電子メール送信側の携帯電話機１００Ａでは、電子メールが作成され、電子メールの到達確認の要求処理が行われ、到達確認の識別子が付された電子メールの送信を行う。
【００４１】
携帯電話機１００Ａでは電子メール送信の実行で成功した場合には図８のステータスは、「送信済み」に設定される。
携帯電話機１００Ａでは電子メール送信の実行で成功しなかった場合には図８のステータスは、「送信失敗」に設定される。
電子メール受信側の携帯電話機１００Ｂでは、携帯電話機１００Ａから電子メールを受信し、受信した電子メールのうち到達確認の識別子が付された電子メールのみに対して、携帯電話機１００Ａに向けて電子メール到達通知が行われる。
【００４２】
携帯電話機１００Ａでは携帯電話機１００Ｂから電子メール到達通知の受信が行われると、図８のステータスは、「到達済み」に設定される。
電子メール到達通知が何らかの理由で損失した場合には送信元の携帯電話機１００Ａに正常に通知できなかった場合には、正常なステータス表示が不可能になる。この場合には問合せ機能を実施することで正常なステータス表示にすることが可能になる。
【００４３】
また、到達確認機能ボタン１０３ＤがＯＦＦである電子メールに対しては携帯電話機１００Ｂから携帯電話機１００Ａに電子メール到達通知が行われない。
したがって、本発明によれば、電子メールの送信後に電子メール到達通知までの時間は殆どの場合短く、一定の時間の間に終了するので、電子メール送信後、送信電子メール一覧画面のステータスを見るだけでその送信電子メールが正常に送信先に到達したことを確認することが可能になる。
【００４４】
電子メール既読通知の場合には自動車運転中のように電子メール開封までは時間を要する場合があるのに対して、電子メール到達通知の場合には到達していることだけ判断できればよい場合に有利である。
さらに、重要な送信電子メールに限定して送信先のユーザーの到達確認を可能にしたので、トラフィックの上昇に起因するネットワークの負荷増大、通信料発生を抑制することが可能になる。
【００４５】
図１１は本発明の第２実施例に係る携帯電話機の概略構成を示すブロック図である。本図に示すように、図１、図６と比較して、電子メールを送受信する携帯電話機１００の操作部１０３には開封確認機能ボタン１０３Ａ、到達確認機能ボタン１０３Ｄが設けられる。
さらに、制御部１０６には電子メール開封／到達確認部１０６Ｃが設けられ、電子メール開封／到達確認部１０６Ｃは受信側の携帯電話機１００のユーザーが開封要求のあった電子メールを受信し開封し既読し既読通知を行った際にこの既読通知を受信し表示部１０２に既読済みを表示させて送信した電子メールの開封をユーザーに確認させ、又は、受信側の携帯電話機１００が到達要求のあった電子メールを受信し到達通知を行った際に、この到達通知を受信し表示部１０２に到達済みを表示させて送信した電子メールの到達をユーザーに確認させる制御を行うオプション機能を有する。
【００４６】
図１２は図１１における表示部１０２に表示される電子メール作成画面の例を示す図である。本図に示すように、図２、図７と比較して、表示部１０２には開封確認機能ボタン、到達確認機能ボタンが表示される。
このようにして電子メールに対して選択的に開封確認要求、到達確認要求を容易に行うことを可能にする。
【００４７】
図１３は図１１における表示部１０２に表示される送信電子メール一覧の画面例を示す図である。本図に示すように、送信された電子メール一覧の画面では、送信電子メールのステータス、送信電子メールの送信の日付、送信電子メールの表題として、例えば、到達済み、１２／０３、ＪＫＬ、既読済み、１２／０４、ＧＨＩ、送信失敗、１２／０５、ＤＥＦ、送信済み、１２／０６、ＡＢＣのように一覧表示が行われる。
【００４８】
このようにして、送信電子メール一覧画面で送信電子メールのステータスの変化が確認可能になる。特に、開封済み、到達済みを表示させて送信した電子メールの到達をユーザーに確認させることが可能になる。
図１４は図１１における電子メール開封／到達確認部１０６Ｃの制御動作例を示すフローチャートである。
ユーザーはメニュー設定、又は、図１２に示す電子メール作成画面から開封確認機能、到達確認機能の設定を可能にすることが可能である。
【００４９】
ステップＳ２２１において、開封確認機能ボタン１０３Ａが押下されたか否かを判断する。開封確認機能ボタン１０３Ａが押下されていないと判断した場合にはステップＳ２２３に進む。この場合、送信される電子メールが重要でないと判断され、開封確認機能ボタン１０３Ａが押下されず、電子メールの開封確認の要求が行われない。
【００５０】
開封確認機能ボタン１０３Ａが押下されていると判断した場合にはステップＳ２２２に進む。この場合、送信される電子メールが重要であると判断され、電子メールの開封確認の要求が行われ、電子メールに開封確認要求の識別子が付される。
ステップＳ２２２において、キャンセルボタン１０３Ｃが押下されたか否かを判断する。キャンセルボタン１０３Ｃが押下されないと判断した場合にはステップＳ２２３に進む。
【００５１】
キャンセルボタン１０３Ｃが押下されたと判断した場合には電子メールの開封確認の要求が誤りと判断され、ステップＳ２２１に戻る。
ステップＳ２２３において、送信ボタン１０３Ｂの押下を待ち、押下された場合には電子メールを送信し、電子メールの開封確認の要求処理を終了する。
ステップＳ２２４において、到達確認機能ボタン１０３Ｄが押下されたか否かを判断する。到達確認機能ボタン１０３Ｄが押下されていないと判断した場合にはステップＳ２２６に進む。この場合、送信される電子メールが重要でないと判断され、到達確認機能ボタン１０３Ｄが押下されず、電子メールの到達確認の要求が行われない。
【００５２】
到達確認機能ボタン１０３Ｄが押下されていると判断した場合にはステップＳ２２５に進む。この場合、送信される電子メールが重要であると判断され、電子メールの到達確認の要求が行われ、電子メールに到達確認要求の識別子が付される。
ステップＳ２２５において、キャンセルボタン１０３Ｃが押下されたか否かを判断する。キャンセルボタン１０３Ｃが押下されないと判断した場合にはステップＳ２２６に進む。
【００５３】
キャンセルボタン１０３Ｃが押下されたと判断した場合には電子メールの到達確認の要求が誤りと判断され、ステップＳ２２４に戻る。
ステップＳ２２６において、送信ボタン１０３Ｂの押下を待ち、押下された場合には電子メールを送信し、電子メールの到達確認の要求処理を終了する。
図１５は電子メールの開封通知、電子メール到達通知のシーケンスを示す図である。本図に示すように、電子メール送信側の携帯電話機１００Ａでは、電子メールが作成され、電子メールの開封確認、到達確認の要求処理がそれぞれ行われ、開封確認、到達確認の識別子が付された電子メールの送信を行う。
【００５４】
携帯電話機１００Ａでは電子メール送信の実行で成功した場合には図１３のステータスは、「送信済み」に設定される。
携帯電話機１００Ａでは電子メール送信の実行で成功しなかった場合には図１３のステータスは、「送信失敗」に設定される。
電子メール受信側の携帯電話機１００Ｂでは、携帯電話機１００Ａから電子メールを受信し、受信した電子メールのうち開封確認の識別子が付された電子メールのみに対して携帯電話機１００Ａに向けて電子メールが開封されると電子メール既読通知が行われ、受信した電子メールのうち到達確認の識別子が付された電子メールのみに対して携帯電話機１００Ａに向けて電子メール到達通知が行われる。
【００５５】
携帯電話機１００Ａでは携帯電話機１００Ｂから電子メール到達通知の受信があり、さらに、電子メール開封通知の受信があると、図１３のステータスは、「到達済み」、「既読済み」にそれぞれ設定される。
電子メール到達通知、電子メール開封通知が何らかの理由で損失した場合には送信元の携帯電話機１００Ａに正常に通知できなかった場合には、正常なステータス表示が不可能になる。この場合には問合せ機能を実施することで正常なステータス表示にすることが可能になる。
【００５６】
また、開封確認機能ボタン１０３Ａ、到達確認機能ボタン１０３ＤがＯＦＦである電子メールに対しては携帯電話機１００Ｂから携帯電話機１００Ａに電子メール開封通知、電子メール到達通知が行われない。
したがって、本発明によれば、開封確認、到達確認の要求処理が選択でき、送信した電子メールの開封までに時間がかかってもよい場合に開封確認の要求処理を行い、送信した電子メールの開封までの時間を待てない場合には到達確認の要求処理を行うことが可能になる。
【００５７】
さらに、重要な送信電子メールに限定して送信先のユーザーの開封確認、到達確認を可能にしたので、トラフィックの上昇に起因するネットワークの負荷増大、通信料発生を抑制することが可能になる。
【００５８】
【発明の効果】
以上説明したように、本発明によれば、送信すべき電子メールのうち選択した電子メールに対して受信側の携帯電話機に開封確認要求の操作を行い、送信すべき電子メールのうち選択した電子メールに対して受信側の携帯電話機に到達確認要求の操作を行い、送信した電子メールに対して送信済み、送信失敗を含むステータスの一覧を表示し、開封確認要求、到達確認要求の操作を行って送信された電子メールの既読通知、到達通知を電子メールの受信側の携帯電話機から受信した場合に表示部に送信された電子メールに対して既読済み、到達済みのステータスの表示を行わせるようにしたので、重要な送信電子メールに限定して送信先のユーザーの既読確認を可能にしたので、トラフィックの上昇に起因するネットワークの負荷増大、通信料発生を抑制することが可能になり、開封確認、到達確認の要求処理が選択でき、送信した電子メールの開封までに時間がかかってもよい場合に開封確認の要求処理を行い、送信した電子メールの開封までの時間を待てない場合には到達確認の要求処理を行い、選択することが可能になる。
【図面の簡単な説明】
【図１】本発明に係る携帯電話機の概略構成を示すブロック図である。
【図２】図１における表示部１０２に表示される電子メール作成画面の例を示す図である。
【図３】図１における表示部１０２に表示される送信電子メール一覧の画面例を示す図である。
【図４】図１における電子メール開封確認部１０６Ａの制御動作例を示すフローチャートである。
【図５】電子メール既読通知のシーケンスを示す図である。
【図６】本発明の第１実施例に係る携帯電話機の概略構成を示すブロック図である。
【図７】図６における表示部１０２に表示される電子メール作成画面の例を示す図である。
【図８】図６における表示部１０２に表示される送信電子メール一覧の画面例を示す図である。
【図９】図６における電子メール到達確認部１０６Ｂの制御動作例を示すフローチャートである。
【図１０】図１０は電子メール到達通知のシーケンスを示す図である。
【図１１】本発明の第２実施例に係る携帯電話機の概略構成を示すブロック図である。
【図１２】図１１における表示部１０２に表示される電子メール作成画面の例を示す図である。
【図１３】図１１における表示部１０２に表示される送信電子メール一覧の画面例を示す図である。
【図１４】図１１における電子メール開封／到達確認部１０６Ｃの制御動作例を示すフローチャートである。
【図１５】電子メールの開封通知、電子メール到達通知のシーケンスを示す図である。
【符号の説明】
１００、１００Ａ、１００Ｂ…携帯電話機
１０１…メモリ
１０２…表示部
１０３…操作部
１０３Ａ…開封確認機能ボタン
１０３Ｂ…送信ボタン
１０３Ｃ…キャンセルボタン
１０３Ｄ…到達確認機能ボタン
１０４…無線部
１０５…送受信アンテナ
１０６…制御部
１０６Ａ…電子メール開封確認部
１０６Ｂ…電子メール到達確認部
１０６Ｃ…電子メール開封／到達確認部
【図１】
2004312324.tif 000003
【図２】
2004312324.tif 000004
【図３】
2004312324.tif 000005
【図４】
2004312324.tif 000006
【図５】
2004312324.tif 000007
【図６】
2004312324.tif 000008
【図７】
2004312324.tif 000009
【図８】
2004312324.tif 000010
【図９】
2004312324.tif 000011
【図１０】
2004312324.tif 000012
【図１１】
2004312324.tif 000013
【図１２】
2004312324.tif 000014
【図１３】
2004312324.tif 000015
【図１４】
2004312324.tif 000016
【図１５】
2004312324.tif 000017